(57)【要約】【課題】  クリーニングに最適なクリーニング時期を判定することができるカード発行装置および方法を提供する。【解決手段】  感熱方式でカード表面に印刷するカード発行装置において、カードを搬送するカード搬送手段と、前記カード搬送手段によって搬送されたカードに処理内容に応じて感熱ヘッドを用いて印刷をする印刷手段と、カード発行装置でのカードの発行毎に前記カードの使用状況、前記カードへの処理内容、又は前記感熱ヘッドの周囲温度に基づいて決定される異なる値の係数値を発生し、この係数値を計数する計数手段と、前記計数手段によって計数された係数値が所定の値に達したことに基づいて前記感熱ヘッドのクリーニング時期であることを判定する判定手段と、を有することを特徴とするカード発行装置および方法。【選択図】  図７
2008276753.tif 000002
【特許請求の範囲】
【請求項１】
感熱方式でカード表面に印刷するカード発行装置において、
カードを搬送するカード搬送手段と、
前記カード搬送手段によって搬送されたカードに処理内容に応じて感熱ヘッドを用いて印刷をする印刷手段と、
カード発行装置でのカードの発行毎に前記カードの使用状況、前記カードへの処理内容、又は前記感熱ヘッドの周囲温度に基づいて決定される異なる係数値を発生し、この係数値を計数する計数手段と、
前記計数手段によって計数された係数値が所定の値に達したことに基づいて前記感熱ヘッドのクリーニング時期であることを判定する判定手段と、
を有することを特徴とするカード発行装置。
【請求項２】
カードを搬送するカード搬送方法と、
前記カード搬送方法によって搬送されたカードに処理内容に応じて感熱ヘッドを用いて印刷をする印刷方法と、
カードの発行毎に前記カードの使用状況、前記カードへの処理内容、又は前記感熱ヘッドの周囲温度に基づいて決定される異なる値の係数値を発生し、この係数値を計数する計数方法と、
前記計数方法によって計数された係数値が所定の値に達したことに基づいて前記感熱ヘッドのクリーニング時期であることを判定する判定方法と、
を有することを特徴とするカード発行方法。
【請求項３】
感熱方式でカード表面に印刷するカード発行装置において、
カードを搬送するカード搬送手段と、
前記カード搬送手段によって搬送された新規カードに感熱ヘッドを用いて印刷をする新規カード印刷手段と、
前記カード搬送手段によって搬送された既に発行済みカードに感熱ヘッドを用いて印刷をする既存カード印刷手段と、
前記新規カード印刷手段による印刷を行うことにより第１の係数値を発生し、また、前記既存カード印刷手段による印刷をおこなうことにより第１の係数値とは異なる値となる第２の係数値を発生し、前記第１あるいは第２の係数値を計数する計数手段と、
前記計数手段によって計数された係数値が所定の値に達したことに基づいて前記感熱ヘッドのクリーニング時期であることを判定する判定手段と、
を有することを特徴とするカード発行装置。
【請求項４】
カードを搬送するカード搬送方法と、
前記カード搬送方法によって搬送された新規カードに感熱ヘッドを用いて印刷をする新規カード印刷方法と、
前記カード搬送方法によって搬送された既に発行済みカードに感熱ヘッドを用いて印刷をする既存カード印刷方法と、
前記新規カード印刷方法による印刷を行うことにより第１の係数値を発生し、また、前記既存カード印刷方法による印刷をおこなうことにより第１の係数値とは異なる値となる第２の係数値を発生し、前記第１あるいは第２の係数値を計数する計数方法と、
前記計数方法によって計数された係数値が所定の値に達したことに基づいて前記感熱ヘッドのクリーニング時期であることを判定する判定方法と、
を有することを特徴とするカード発行方法。
【請求項５】
感熱方式でカード表面に印刷するカード発行装置において
カードを搬送するカード搬送手段と、
前記カード搬送手段によって搬送されたカードの表面を印刷することなく、ＩＣチップ内の書き込みを行うカード書き換え処理手段と、
前記カード搬送手段によって搬送されたカードに処理に応じて感熱ヘッドを用いて印刷をするカード印刷手段と、
前記カード書き換えによる書き換え処理を行うことにより第１の係数値を発生し、前記カード印刷手段による印刷をおこなうことにより第１の係数値とは異なる値となる第２の係数値を発生し、前記第１あるいは第２の係数値を計数する計数手段と、
前記計数手段によって計数された係数値が所定の値に達したことに基づいて前記感熱ヘッドのクリーニング時期であることを判定する判定手段と、
を有することを特徴とするカード発行装置。
【請求項６】
カードを搬送するカード搬送方法と、
前記カード搬送方法によって搬送されたカードの表面を印刷することなく、ＩＣチップ内の書き込みを行うカード書き換え処理方法と、
前記カード搬送方法によって搬送されたカードに処理に応じて感熱ヘッドを用いて印刷をするカード印刷方法と、
前記カード書き換えによる書き換え処理を行うことにより第１の係数値を発生し、前記カード印刷方法による印刷をおこなうことにより第１の係数値とは異なる値となる第２の係数値を発生し、前記第１あるいは第２の係数値を計数する計数方法と、
前記計数方法によって計数された係数値が所定の値に達したことに基づいて前記感熱ヘッドのクリーニング時期であることを判定する判定方法と、
を有することを特徴とするカード発行方法。
【請求項７】
カードを搬送するカード搬送手段と、
前記カード搬送手段によって搬送されたカードの印刷内容を消去用感熱ヘッドを用いて消去をする消去手段と、
前記カード搬送手段によって搬送されたカードに印刷用感熱ヘッドを用いて印刷する印刷手段と、
前記消去手段による消去時に消去用感熱ヘッドの温度を検知する消去時温度検知手段と、
前記印刷手段による印刷時に印刷用感熱ヘッドの温度を検知する印刷時温度検知手段と、
前記消去時温度検知手段あるいは前記印刷時温度検知手段により検知された温度に基づいて決定される異なる係数値を発生し、この係数値を計数する計数手段と、
前記計数手段によって計数された係数値が所定の値に達したことに基づいて前記印刷用感熱ヘッド及び前記消去用感熱ヘッドのクリーニング時期であることを判定する判定手段と、
を有することを特徴とするカード発行装置。
【請求項８】
前記係数値、前記第１の係数値、前記第２の係数値及び所定の値は変更可能に設定されていることを特徴とする請求項１、３、５および７のいずれかに記載のカード発行装置。
【請求項９】
前記係数値、前記第１の係数値、前記第２の係数値及び所定の値は変更可能に設定されていることを特徴とする請求項２、４および６のいずれかに記載のカード発行方法。
【請求項１０】
カード発行動作の稼動回数又はカード発行装置が排出したカードの枚数によって決定される係数値を計数する第２の計数手段と、
前記第２の計数手段によって計数された係数値と前記計数手段によって計数された係数値を用いて前記感熱ヘッドのクリーニング時期がきたことを判定する判定手段と、
をさらに有することを特徴とする請求項１、３、５および７のいずれかに記載のカード発行装置。
【請求項１１】
カード発行動作の稼動回数又はカード発行装置が排出したカードの枚数によって決定される係数値を計数する第２の計数手段と、
前記第２の計数手段によって計数された係数値と前記計数手段によって計数された係数値を用いて前記感熱ヘッドのクリーニング時期がきたことを判定する判定手段と、
をさらに有することを特徴とする請求項２、４および６のいずれかに記載のカード発行方法。
【発明の詳細な説明】
【技術分野】
【０００１】
本発明は、感熱ヘッドを用いて文字、図形等を印字したカードを発行する装置および方法に関し、特に感熱ヘッドのクリーニング時期を自動的に報知するカード発行装置及び方法に関する。
【背景技術】
【０００２】
近年、定期券、乗車券や特急券等にはＩＣチップのリライト及び表面の消去・印刷が可能なカード（以下、カード）が用いられる。このカードは専用の券売機や定期券発行機等（以下、カード発行装置）によりＩＣチップのリライト及び表面の消去・印刷がされる。カードは持ち運び等が行われることにより表面にはゴミや異物がつきやすい。よってカードが感熱ヘッドの下を通過すると、カード表面の印刷に用いられる感熱ヘッドに付着する。ゴミ等が感熱ヘッドの表面にゴミや汚れが付着すると、感熱ヘッドを利用して行うカード表面への印刷がかすれる等の現象が起きる。そのため、カード発行装置内の感熱ヘッドは定期的なクリーニングを必要とする。
【０００３】
従来は定期的なクリーニングを知らせるためカード挿入検知センサにて、カード挿入枚数をカウントし、クリーニングが必要となる枚数を規定値として記録し、カード挿入枚数を規定値と比較してカード挿入枚数が規定値以上となったらクリーニングを促していた。（例えば、特許文献１参照。）
【特許文献１】特開平９−６８８７号公報  (第４頁、図２)
【発明の開示】
【発明が解決しようとする課題】
【０００４】
多くの場合カード発行装置で既に使用したカードに印刷を行う場合には、新しいカードより既に使用したカードのほうがカード表面が汚れているため、感熱ヘッドは新しいカードを印刷する場合と比べてより汚れる。また感熱ヘッドを用いず、ＩＣのリライトのみに対応したカード発行に対しても、発行装置の内部に搬送される途中でカードが感熱ヘッド直下を通過することにより感熱ヘッドに汚れが付着する。またカードの表面の印刷に対しても印刷時の感熱ヘッドの表面の温度が高い場合には低い場合より汚れが多く付着する。このように一つのカードの発行に対してもカード、発行方法や発行条件等が異なると感熱ヘッドの汚れの程度は異なる。
【０００５】
しかし、上記の技術では、新しいカードの発行の場合にも、既に使用したカードへの印刷もまたどのような印刷動作、印刷状況、印刷条件においても印刷枚数を同じ値としてカウントしてクリーニングの時期を決定していたため、ヘッドが汚れているのに規定枚数に達してない故クリーニング業務を行わず印字品質が落ちたままでの作業が続いてしまう又は大して汚れていないにもかかわらず規定枚数に達した故にクリーニング作業の手間を取ってしまうといった課題があった。
【０００６】
本発明は、上記課題を解決するためになされたもので、クリーニング時期を判定することができるカード発行装置及び方法を提供することを目的とする。
【課題を解決するための手段】
【０００７】
上記目的を達成するために、本発明によるカード発行装置は、感熱方式でカード表面に印刷するカード発行装置において、カードを搬送するカード搬送手段と、前記カード搬送手段によって搬送されたカードに処理内容に応じて感熱ヘッドを用いて印刷をする印刷手段と、カード発行装置でのカードの発行毎に前記カードの使用状況、前記カードへの処理内容、又は前記感熱ヘッドの周囲温度に基づいて決定される異なる係数値を発生し、この係数値を計数する計数手段と、前記計数手段によって計数された係数値が所定の値に達したことに基づいて前記感熱ヘッドのクリーニング時期であることを判定する判定手段と、を有することを特徴とする。
【発明の効果】
【０００８】
本発明によれば、本発明は、上記課題を解決するためになされたもので、クリーニング時期を判定することができるカード発行装置及び方法を提供することができる。
【発明を実施するための最良の形態】
【０００９】
以下、本発明の実施例について図面を参照しながら説明する。
【実施例１】
【００１０】
図１は本発明の一実施例であるカード発行装置１の構成を示したブロックを示す図であり、図２はカード発行装置の外観図である。
【００１１】
カード発行装置はカード処理装置２と上位装置３とで構成されている。
【００１２】
使用者は上位装置３にある操作部４で操作を行い、その操作に従った表示が成される表示部５で確認しながら作業を行う。上位装置３で行われた操作内容は上位装置３における上位装置処理部６によってカード処理装置２に出力される。
【００１３】
カード処理装置２は発行装置７と処理部８とで構成される。
【００１４】
発行装置７では処理部８からの指示に従い、感熱印刷方式によってカード表面に文字又は絵や図形、地図、表等の印刷を行う。特に定期乗車券の場合、乗車区間、有効期限、使用者の性別、年齢等が印刷される。
【００１５】
処理部８は上位装置処理部６から送られた指令を受け取り、発行装置７に指令を出力する。また逆に処理部８は発行装置７の状態等を監視し、異常がある場合やクリーニングの時期が訪れた場合等、使用者に内部状態を知らせる必要があるとき上位装置処理部６に表示指示を出力する。
【００１６】
図３は操作部４の外観図である。
【００１７】
操作部４には入力用キー４１、新規カード印刷発行キー４２、発行済カード印刷発行キー４３、発行開始キー４４、クリーニングスタートボタン４５、新規カード発行キー４６及びＩＣリライトキー４７が設けられている。
【００１８】
入力用キー４１は後述する印刷部７４を稼動させ、定期券の所有者情報や印刷内容の入力のためのキーである。
【００１９】
新規カード印刷発行キー４２は、新しいカードの表面に印刷をすることを伴う定期券等の発行を行うためのキーである。
【００２０】
発行済カード印刷発行キー４３は、既に定期等として利用していたカードをカード発行装置１内に取り込みカードの表面の消去及び印刷をすることを伴いカードを発行するためのキーである。
【００２１】
新規カード発行キー４６は、新規のカードに対し定期等のように印刷を行わず、お金のチャージや特急券の購入等に用いられるキーであって、ホッパ７１からカードＣが送られカードＣに内蔵するＩＣチップへの書き込みが行われるが、カードＣの表面への印刷作業は行われない操作を指示する、つまり印刷部７４を稼動せずカード発行するためのキーである。
【００２２】
ＩＣリライトキー４７は、既存カードに対しお金のチャージや特急券の購入等に用いられるキーであり、カードの挿入が行われ、かつカードＣに内蔵するＩＣチップへの書き込みが行われるがカードＣの表面への消去及び印刷作業は行われない操作を指示する、つまり印刷部７４を稼動せずＩＣチップ内の情報を書き換えてカード発行するためのキーである。
【００２３】
また発行方法及び全ての情報を入力後、発行開始キー４４はカードの発行を開始するためのキーであり、クリーニングスタートボタン４５は、クリーニング動作を選択する又は開始を指示するためのキーである。
【００２４】
図４は発行装置７内部の構成図である。
【００２５】
発行装置７には表面における印刷及び消去が可能であり、かつＩＣの書き換え可能であるリライトタイプのカードＣを積層させて保管する箱型のホッパ７１が設けられている。また発行装置７内部には、ホッパ７１からカードＣを搬送するための搬送路７２が設けられている。カードＣは搬送路に沿って搬送される。ホッパ７１よりも図４中左側には、カードＣが持つＩＣチップに発行するカードＣの有効期限や乗車区間、その他情報等を記録するためのカードリーダライタ７３が設けられている。
【００２６】
カードリーダライタ７３よりも図４中左側には、カードＣの表面に感熱方式で印刷を行う印刷部７４が設けられている。印刷部７４には印刷及び消去のためにカードと接する面を底に持つ２つの感熱ヘッドが設けられている。一つは、カードのリライトの為に発行装置７に挿入された印刷済みカードの表面の印刷内容を消去する消去用感熱ヘッド７４ａで、もう一つは発熱することによりカード表面を変色させ、氏名や駅名等の情報を印刷する印刷用感熱ヘッド７４ｂである。
【００２７】
印刷部７４よりも図４中左側には、発行装置７からカードＣを外部に排出する役割を持ち、かつリライト作業を行う場合にはカードＣを発行装置７に取り入れる役割をもつカード挿入／排出口７５が設けられている。
【００２８】
図５は上位装置処理部6の構成を示したブロック図である。
【００２９】
上位装置処理部６は所定の値を係数する係数部６０、この係数部６０に接続された判定部６１、この判定部６１に接続された記録部６２及び判定部６１に接続された制御部６３によって構成されている。
【００３０】
図６は操作部４に設けられたキーを押下した時に計数される係数の種類及びその値を示した表である。また図７は上位装置処理部６でクリーニング時期を判定する際に上位装置処理部６が利用する値とその推移を示した図である。
【００３１】
発行係数６ａはカード発行装置１がカードＣを発行した回数を示す。発行係数６ａは発行操作開始時に選択する発行開始キー４４の押下された回数で計数を行う。１回のカード発行動作に対し発行開始キー４４は一回押下されるため、１回のカード発行動作に対し発行係数６ａの値は「１」が係数部６０で計数される。
【００３２】
また、処理係数６ｂは発行操作開始時に選択されたキーにより値が決定し、発行開始キー４４を選択することにより計数される。カウント値６ｃは判定部６１において発行係数６ａと処理係数６ｂを合計して示される値である。例えば発行係数の値が「１」で処理係数６ｂの値が「５」のときは、カウント値６ｃは「６」となる。すなわちカード発行動作開始の際、新規カード印刷発行キー４２が選択され、そのまま発行開始キー４４が選択された場合には、発行係数６ａは「１」であり処理計数６ｂは「０」のため、カウント値６ｃには「１」が係数部６０に出力される。一方、発行済カード印刷発行キー４３が選択され、そのまま発行開始キー４４が選択された場合には、発行係数６ａは「１」であり処理計数６ｂは「５」のため、カウント値６ｃには「６」が係数部６０に出力される。また新規カード発行キー４６が選択され、そのまま発行開始キー４４が選択された場合には、発行係数６ａは「１」であり処理計数６ｂは「０」のため、カウント値６ｃには「１」が係数部６０に出力される。一方、ＩＣリライトキー４７選択され、そのまま発行開始キー４４が選択された場合には、発行係数６ａは「１」であり処理計数６ｂは「２」のため、カウント値６ｃには「３」が係数部６０に出力される。
【００３３】
累積値６ｄは記録部６２で記録していた、前回印刷までの累積値６ｄと今回行った印刷によるカウント値６ｃの合計値である。累積値６ｄは判定部６１で計算され記録部６２に記録される。警告値６ｅは累積値６ｄがこの値以上になると、クリーニングの時期がきたと判定し、上位装置処理部６が警告を出す（報知する）と定めた基準値であり、その値は「１００」である。
【００３４】
例えば前回までの印刷によって記録部６２に記録されていた累積値６ｄが図７中第３行目にあるように「８」で、新たな印刷動作を行い、今回の印刷のカウント値６ｃが「１」であった場合には、前回までの印刷によって記録部６２に記録されていた累積値６ｄと今回の印刷のカウント値６ｃが合計されて、今回の印刷によって累積値６ｄの合計は「９」となる（図７中第４行目参照）。
【００３５】
また、累積値６ｄの値が図７中第６行目にあるように「９８」の場合には定められた警告値６ｅの値である「１００」より低いため、上位装置処理部６はこの累積値６ｄを記録部６２に出力し、記録させるのみである。次に印刷した際に（図７中第７行目）カウント値が「６」であり、前回印刷までの累積値６ｄである「９８」と合計して今回の印刷での累積値６ｄの値が「１０４」となる。この、累積値６ｄ「１０４」は定められた警告値６ｅの値である「１００」以上である為、上位装置処理部６は上位装置３にクリーニングの時期がきたことの警告を表示するよう出力するとともに記録部６２へ累積値６ｄを記録する。
【００３６】
なお、発行操作開始時に新規カード印刷発行キー４２、発行済カード印刷発行キー４３、新規カード発行キー４６、またはＩＣリライトキー４７を選択しても、最後に発行開始キー４４が選択されなければ計数されない。例えば、新規カード印刷発行キー４２を選択した後に、作業が取り消され発行済カード印刷発行キー４３が選択され、その後発行開始キー４４が選択された場合にはカウント値６ｃには「６」が判定部６１に出力される。
【００３７】
次に、カード発行装置１においてカードを発行する動作を説明する。
【００３８】
初めに使用者はこれから行う作業を、操作部４の新規カード印刷発行キー４２、発行済カード印刷発行キー４３、新規カード発行キー４６、またはＩＣリライトキー４７より選択する。以下新規カード印刷発行キー４２を選択した場合について説明する。
【００３９】
初めに使用者は新規カード印刷発行キー４２を選択する。
【００４０】
新規カード印刷発行キー４２の選択後、使用者は入力用キー４１を用いてカードの発行に必要な情報等を入力する。入力が全て終了した後に、使用者は表示部５で入力した内容を確認し、発行開始キー４４を選択する。
【００４１】
発行開始キー４４の選択により、カード発行の指示が行われ、その指示が操作部４より上位装置処理部６に出力されると、その指示に従い発行装置７内で発行動作が開始される。初めにホッパ７１のカードの排出口より、ホッパ７１に積層されていたカードＣが搬送路７２に排出される。
【００４２】
ホッパ７１から排出されたカードＣは搬送路７２を通ってカードリーダライタ７３まで送られた後、カードリーダライタ７３で、カードＣが持つＩＣチップに使用者により要求された情報が記録される。
【００４３】
その後カードＣは搬送路７２によって印刷部７４の印刷用感熱ヘッド７４ｂの下まで搬送される。その後印刷用感熱ヘッド７４ｂではカードＣとの接触面の温度を上げることによりカードの表面を変色させ、所定の情報の印刷を行う。
【００４４】
印刷用感熱ヘッド７４ｂで印刷された後、カードＣは発行装置７のカード挿入／排出口７５より排出される。
【００４５】
図８はカードを発行する際の上位装置処理部６による処理について示したフローチャートである。
【００４６】
使用者が発行動作を開始し（ＳＴＡＲＴ）、新規カード印刷発行キー４２を選択すると、係数部６０に処理計数６ｂの値である「０」が出力される（Ｓ１０）。
【００４７】
発行開始キー４４の選択により、操作部４より上位装置処理部６に発行の指示が出力されると同時に、発行係数６ａの値である「１」が係数部６０に出力され、さらに発行係数６ａと処理係数６ｂとを合計したカウント値６ｃの値「１」が判定部６１において計算される（Ｓ１１）。
【００４８】
次に、判定部６１において計算されたカウント値６ｃと、記録部６２から出力された前回までのカウント値６ｃの合計である累積値６ｄが判定部６１で合計され、今回の印刷での累積値６ｄが求められて記録部６２で記録される（Ｓ１２）。
【００４９】
その後、今回の印刷で求められた累積値６ｄが指定された警告値６ｅの値である「１００」以上であるか否かを判定部６１にて判定する（Ｓ１３）。
【００５０】
今回の印刷での累積値６ｄが警告値６ｅとして定められた値である１００以上であれば所定の条件を満たしており、制御部６３より上位装置３に指令を出し表示部５に「クリーニングして下さい」との図１２に示す表示４００の警告表示を示し（Ｓ１４）動作を終了する（ＥＮＤ）。
【００５１】
なお発行装置７は警告表示が示された後もクリーニングを行わず続けて印刷は可能である。ただし、クリーニングが行われるまで、記録部６２に記録された累積値６ｄはリセットされない為、印刷終了後には毎回警告表示が表示部５に表示される。
【００５２】
今回の印刷での累積値６ｄが警告値６ｅで定められた値である１００未満であれば、累積値６ｄは記録部６２に記録され、カード処理装置２はそのまま動作を終了する（ＥＮＤ）。
【００５３】
またこの発行装置７は定期券等として利用していた発行済みのカードの表面を消去し、再び印刷して発行する動作にも対応している。表面の消去及び印刷を伴うカード発行作業を行うために、発行済カード印刷発行キー４３を選択した場合について説明する。
【００５４】
初めに使用者は発行済カード印刷発行キー４３を選択する。
【００５５】
次に、既にＩＣチップに情報が書き込まれ、既に発行済みのカードＣを使用者がカード挿入／排出口７５から挿入する。
【００５６】
発行済カード印刷発行キー４３の選択後、使用者は入力用キー４１を用いてカードの発行に必要な情報等を入力する。入力が全て終了後に、使用者は発行開始キー４４を選択する。
【００５７】
発行開始キー４４の選択により、カード発行の指示が行われ、その指示が操作部４より上位装置処理部６に出力されると、その指示に従い発行装置７内で発行作業動作が開始される。
【００５８】
挿入されたカードＣはカード発行の際とは逆の方向、つまりホッパ７１に向かって搬送路７２上を通り、カードリーダライタ７３の下まで搬送される。カードリーダライタ７３においてカードＣに設けられたＩＣチップに既に記録されていた情報が消され、新たな情報（例えば有効期限や乗車区間、その他情報）をカードＣに設けられたＩＣチップに記録させる。
【００５９】
カードリーダライタ７３でカードＣに設けられたＩＣチップに新たな情報を記録させた後、カードＣは搬送路７２によって印刷部７４の消去用感熱ヘッド７４ａの下まで搬送される。カードＣの表面と消去用感熱ヘッド７４ａの接触面を接触させ、前記接触面の温度を上げることにより、カード表面を変色させ、有効期限や乗車区間等の情報を消去する。
【００６０】
消去用感熱ヘッド７４ａで消去された後にカードは印刷部７４の印刷用感熱ヘッド７４ｂの下まで搬送される。その後印刷用感熱ヘッド７４ｂではカードＣとの接触面の温度を上げ、変色させることによりカードＣの表面に有効期限や乗車区間等の情報の印刷を行う。
【００６１】
印刷用感熱ヘッド７４ｂで印刷された後、カードＣは発行装置７のカード挿入／排出口７５より排出される。
【００６２】
図９はカードをリライトする際の上位装置処理部６による処理について示したフローチャートである。
【００６３】
使用者が発行動作を開始し（ＳＴＡＲＴ）、発行済カード印刷発行キー４３を選択すると、係数部６０に処理計数６ｂの値である「５」が出力される（Ｓ２０）。
【００６４】
発行開始キー４４の選択により、操作部４より上位装置処理部６に発行の指示が出力されると同時に、発行係数６ａの値である「１」が係数部６０に出力され、さらに発行係数６ａと処理係数６ｂとを合計したカウント値６ｃの値「６」が判定部６１において計算される（Ｓ２１）。
【００６５】
次に、判定部６１において計算されたカウント値６ｃと、記録部６２から出力された前回までのカウント値６ｃの合計である累積値６ｄが判定部６１で合計され、今回の印刷での累積値６ｄが求められて記録部６２で記録される（Ｓ２２）。
【００６６】
その後今回の印刷での累積値６ｄが判定部６１において指定された警告値６ｅの値である「１００」以上であるか否かを判定する（Ｓ２３）。
【００６７】
今回の印刷で求められた累積値６ｄが警告値６ｅとして定められた値である１００以上であれば所定の条件を満たしており、制御部６３より上位装置３に指令を出し表示部５に「クリーニングして下さい」との図１２に示す表示４００の警告表示を示し（Ｓ２４）動作を終了する（ＥＮＤ）。
【００６８】
なお発行装置７は警告表示が示された後もクリーニングを行わず続けて印刷は可能である。ただし、クリーニングが行われるまで、記録部６２に記録された累積値６ｄはリセットされない為、印刷終了後には毎回警告表示が表示部５に表示される。
【００６９】
今回の印刷での累積値６ｄが警告値６ｅで定められた値である１００未満であれば、累積値６ｄは記録部６２に記録され、カード処理装置２はそのまま動作を終了する（ＥＮＤ）。
【００７０】
次に、新規のカードにチャージ等を行う場合についての説明を行う。新規のカードにチャージ等を行う場合には初めに新規カード発行キー４６を選択する必要がある。以下、新規カード発行キー４６を選択した場合について説明する。
【００７１】
初めに使用者は新規カード発行キー４６を選択する。
【００７２】
新規カード発行キー４６の選択後、使用者は入力用キー４１を用いてカードの発行に必要な情報等を入力する。入力が全て終了した後に、使用者は表示部５で入力した内容を確認し、発行開始キー４４を選択する。
【００７３】
発行開始キー４４の選択により、カード発行の指示が行われ、その指示が操作部４より上位装置処理部６に出力されると、その指示に従い発行装置７内で発行動作が開始される。初めにホッパ７１のカードの排出口より、ホッパ７１に積層されていたカードＣが搬送路７２に排出される。
【００７４】
ホッパ７１から排出されたカードＣは搬送路７２を通ってカードリーダライタ７３まで送られた後、カードリーダライタ７３で、カードＣが持つＩＣチップに使用者により要求された情報が記録される。
【００７５】
その後カードＣは搬送路７２によって発行装置７のカード挿入／排出口７５より排出される。
【００７６】
図１０はカードを発行する際の上位装置処理部６による処理について示したフローチャートである。
【００７７】
使用者が発行動作を開始し（ＳＴＡＲＴ）、新規カード発行キー４６を選択すると、係数部６０に処理計数６ｂの値である「０」が出力される（Ｓ３０）。
【００７８】
発行開始キー４４の選択により、操作部４より上位装置処理部６に発行の指示が出力されると同時に、発行係数６ａの値である「１」が係数部６０に出力され、さらに発行係数６ａと処理係数６ｂとを合計したカウント値６ｃの値「１」が判定部６１において計算される（Ｓ３１）。
【００７９】
次に、判定部６１において計算されたカウント値６ｃと、記録部６２から出力された前回までのカウント値６ｃの合計である累積値６ｄが判定部６１で合計され、今回の印刷での累積値６ｄが求められて記録部６２で記録される（Ｓ３２）。
【００８０】
その後、今回の印刷で求められた累積値６ｄが、指定された警告値６ｅの値である「１００」以上であるか否かを判定部６１にて判定する（Ｓ３３）。
【００８１】
今回の印刷での累積値６ｄが警告値６ｅとして定められた値である１００以上であれば所定の条件を満たしており、制御部６３より上位装置３に指令を出し表示部５に「クリーニングして下さい」との図１２に示す表示４００の警告表示を示し（Ｓ３４）動作を終了する（ＥＮＤ）。
【００８２】
なお発行装置７は警告表示が示された後もクリーニングを行わず続けて印刷は可能である。ただし、クリーニングが行われるまで、記録部６２に記録された累積値６ｄはリセットされない為、印刷終了後には毎回警告表示が表示部５に表示される。
【００８３】
今回の印刷での累積値６ｄが警告値６ｅで定められた値である１００未満であれば、累積値６ｄは記録部６２に記録され、カード処理装置２はそのまま動作を終了する（ＥＮＤ）。
【００８４】
使用者はチャージを行う際には、新規カードのみでなく現在使用している定期等の既に発行済みのカードにチャージを行う場合がある。既に発行済みのカードに対してチャージ等を行う場合、つまり発行済みのカードＣの表面の印刷および消去を行わずＩＣチップへのリライトのみを行う場合には初めにＩＣリライトキー４７を選択する必要がある。以下、ＩＣリライトキー４７を選択した場合について説明する。
【００８５】
初めに使用者はＩＣリライトキー４７を選択する。
【００８６】
次に、既にＩＣチップに情報が書き込まれ、既に発行済みのカードＣを表示部５の表示に従い使用者がカード挿入／排出口７５から挿入する。
【００８７】
ＩＣリライトキー４７の選択後、使用者は入力用キー４１を用いてカードの発行に必要な情報等を入力する。入力が全て終了後に、使用者は発行開始キー４４を選択する。
【００８８】
発行開始キー４４の選択により、カード発行の指示が行われ、その指示が操作部４より上位装置処理部６に出力されると、その指示に従い発行装置７内で作業動作が開始される。
【００８９】
挿入されたカードＣはカード発行の際とは逆の方向、つまりホッパ７１に向かって搬送路７２上を通り、カードリーダライタ７３の下まで搬送される。カードリーダライタ７３においてカードＣに設けられたＩＣチップに既に記録されていた情報が消され、新たな情報（例えば有効期限や乗車区間、その他情報）をカードＣに設けられたＩＣチップに記録させる。
【００９０】
カードリーダライタ７３でカードＣに設けられたＩＣチップに新たな情報を記録させた後、カードＣは搬送路７２によって、カードＣは発行装置７のカード挿入／排出口７５より排出される。
【００９１】
図１１はＩＣリライトキー４７にてカードを発行する際の上位装置処理部６による処理について示したフローチャートである。
【００９２】
使用者が発行動作を開始し（ＳＴＡＲＴ）、ＩＣリライトキー４７を選択すると、係数部６０に処理計数６ｂの値である「２」が出力される（Ｓ４０）。
【００９３】
発行開始キー４４の選択により、操作部４より上位装置処理部６に発行の指示が出力されると同時に、発行係数６ａの値である「１」が係数部６０に出力され、さらに発行係数６ａと処理係数６ｂとを合計したカウント値６ｃの値「３」が判定部６１において計算される（Ｓ４１）。
【００９４】
次に、判定部６１において計算されたカウント値６ｃと、記録部６２から出力された前回までのカウント値６ｃの合計である累積値６ｄが判定部６１で合計され、今回の印刷での累積値６ｄが求められて記録部６２で記録される（Ｓ４２）。
【００９５】
その後、今回の印刷で求められた累積値６ｄを、指定された警告値６ｅの値である「１００」以上であるか否かを判定部６１にて判定する（Ｓ４３）。
【００９６】
今回の印刷での累積値６ｄが警告値６ｅとして定められた値である１００以上であれば所定の条件を満たしており、制御部６３より上位装置３に指令を出し表示部５に「クリーニングして下さい」との図１２に示す表示４００の警告表示を示し（Ｓ４４）動作を終了する（ＥＮＤ）。
【００９７】
なお発行装置７は警告表示が示された後もクリーニングを行わず続けて印刷は可能である。ただし、クリーニングが行われるまで、記録部６２に記録された累積値６ｄはリセットされない為、印刷終了後には毎回警告表示が表示部５に表示される。
【００９８】
今回の印刷での累積値６ｄが警告値６ｅで定められた値である１００未満であれば、累積値６ｄは記録部６２に記録され、カード処理装置２はそのまま動作を終了する（ＥＮＤ）。
【００９９】
次に、印刷終了後に警告表示が表示部５に表示された場合に行うヘッドのクリーニング作業の動作を図１２に示す警告表示画面を用いて説明する。
【０１００】
カード印刷後に累積値６ｄが警告値６ｅの値である「１００」以上であった場合に、印刷作業終了後に表示部５に表示される警告表示画面４００によってクリーニング時期がきたことを把握した使用者が、操作部４に設けられたクリーニングスタートボタン４５を押下する。すると画面に「クリーニングカードを挿入してください」との表示画面４０１がなされる。表示に従い使用者は規定のクリーニングカードをカード挿入／排出口７５より発行装置７内へ挿入する。
【０１０１】
その後使用者は操作部４に設けられたクリーニングスタートボタン４５を押す。このクリーニングスタートボタン４５を押下したことにより、クリーニングカードは搬送路７２を通り消去用感熱ヘッド７４ａまで搬送されクリーニングを開始する。
【０１０２】
消去用感熱ヘッド７４ａ及び印刷用感熱ヘッド７４ｂのクリーニングを行っている間はヘッドクリーニング中であることを示す、「ヘッドクリーニング中」との表示画面４０２が表示部５に表示される。両方のヘッドのクリーニングが終了するとカード挿入／排出口７５よりヘッドクリーニングカードが排出され、「クリーニングカードを抜き取ってください」との表示画面４０３が表示部５に表示される。
【０１０３】
表示画面４０３によりクリーニングが終了したことを認識した使用者がカード挿入／排出口７５よりクリーニングカードを抜き取ってクリーニング作業が終了する。クリーニングカードがカード挿入／排出口７５より抜き取られるまで表示部５はこの表示画面４０３を表示し続ける。これはクリーニングカードの取り忘れの防止のためであり、さらにクリーニングカードが抜き取られず一定時間を過ぎてしまうと音を鳴らして警告するようになっている。
【０１０４】
以上詳述したように上記の実施例では、発行の方法を考慮することで、よりヘッドの汚れに対応したクリーニングの時期を報知でき、また警告表示を行う所定の条件は個々に変更可能に設定出来るため、そのカード発行装置の使用者の希望に対応してクリーニングの最適な時期を決定することが出来る。
【０１０５】
なお、処理係数６ｂ（本実施例では一回のカード発行に対して「０」、「２」または「５」）及び警告値６ｅ（本実施例では「１００」）は操作部４による外部操作又はデータベースの交換等により任意に変更可能に設定されている。またカウント値６ｃの計算方法（本実施例では発行係数６ａ及び処理係数６ｂの和）を変更しても良い。例えば発行係数６ａ及び処理係数６ｂの積とする、又は発行係数６ａ及び処理係数６ｂの和に新たに設けた係数との積としてもよい。
【０１０６】
なお、発行係数６ａのかわりに発行枚数を検知し、係数とすることも可能である。図１３のようにカード挿入／排出口７５の近傍に、カード発行装置１においてカードＣが、何枚印刷されたかをカウントするカード通過検知センサ７８が設け、選択された新規カード印刷発行キー４２、発行済カード印刷発行キー４３、新規カード発行キー４６及びＩＣリライトキー４７の選択結果によってカード通過検知センサ７８で検知されたカード枚数に対し係数をかける等の対応をとることも可能である。
【０１０７】
なお発行係数６ａは、発行開始キーの押下による検知以外にも、印刷ヘッドにセンサを設ける等して、印刷完了時のタイミング等で計数することも可能である。
【０１０８】
またヘッドクリーニング中の表示画面４０２においては「残り２秒」等の時間を画面に表示する、警告ランプのみにするなどの応用が可能である。
【０１０９】
さらにカード発行装置としては自動券売機にも応用が可能である。なお自動券売機に応用する場合においては、クリーニング時期の警告等は使用者（券を購入するお客等）用表示部ではなく装置の裏にある管理者（駅員等）用表示部に表示することとなる。
【実施例２】
【０１１０】
図１４は本発明の実施例２に係るカード処理装置２の構成図である。この実施例の各部について実施例１のカード発行装置の各部と同一部分は同一符号で示す。この実施例２が実施例１と異なる点は、操作部４よりどのキーが選択されたか否かによってカウント値６ｃの値を決定するのではなく、ヘッドに設けられたセンサによってカウント値を決定することにある。
【０１１１】
印刷用感熱ヘッド７４ｂは印刷する際にカードと接する接触面を持ち、その接触面の中央部には印刷時の接触面の温度を検知する温度検知センサ７６ｂが設けられている。また消去用感熱ヘッド７４ａは消去する際にカードと接する接触面を持ち、その接触面の中央部には消去時の接触面の温度を検知する温度検知センサ７６ａが設けられている。温度検知センサ７６ａ、７６ｂは検知された温度を後述する処理部８に出力するよう設定されている。
【０１１２】
またカード挿入／排出口７５の近傍には、カード発行装置１においてカードＣが、何枚印刷されたかをカウントするカード通過検知センサ７８が設けられている。
【０１１３】
図１５は処理部８の構成図である。
【０１１４】
処理部８はカードの印刷枚数等を計数する係数部８ａ、この係数部８ａに接続された判定部８ｂ、この判定部８ｂに接続された記録部８ｃ及び判定部８ｂに接続された制御部８ｄによって構成されている。
【０１１５】
図１６は処理部８でクリーニング時期を判定する際に処理部８が利用する値とその推移を示した図である。
【０１１６】
発行係数３０１は印刷されたカードＣの枚数を示す。発行係数３０１はカード処理装置２に設けられたカード通過検知センサ８によって印刷されたカードＣが検知される毎に計数される枚数を示すもので、処理部８が持つ係数部８ａで計数される。カード処理装置２ではカードを１枚ずつ発行するため、１回のカード発行動作に対し発行係数３０１の値は「１」が係数部８で計数される。
【０１１７】
消去時温度３０２ａはカード表面の印刷内容を消去するため、消去用感熱ヘッド７４ａが起動した際に温度検知センサ７６ａによって検知された消去用感熱ヘッド７４ａの温度である。また印刷時温度３０２ｂはカード表面に印刷するため、印刷用感熱ヘッド７４ｂが起動した際に温度検知センサ７６ｂによって検知された印刷用感熱ヘッド７４ｂの温度である。消去時温度３０２ａ及び印刷時温度３０２ｂは次に示す温度係数３０３を決定する。
【０１１８】
すなわち１回のカード発行動作での温度検知センサ７６ａで検知された消去時温度３０２ａ又は温度検知センサ７６ｂで検知された印刷時温度３０２ｂの少なくともどちらか一方の温度が６０℃以上であれば温度係数３０３が「５」となり、消去時温度３０２ａ及び印刷時温度３０２ｂの両方の値が６０℃未満であれば温度係数３０３が「０」となる。この温度係数３０３が係数部８ａで計数される。
【０１１９】
例えば図１６中第２行目にあるように温度検知センサ７６ａにより検知された温度が５０℃（消去時温度３０２ａが６０℃未満）でかつ温度検知センサ７６ｂにより検知された温度が４５℃（印刷時温度３０２ｂが６０℃未満）である場合には温度係数３０３は値「０」として計数される。
【０１２０】
一方、図１６中第３行目にあるように温度検知センサ７６ａにより計測された温度が６０℃（消去時温度３０２ａが６０℃以上）でかつ温度検知センサ７６ｂにより計測された温度が５０℃（印刷時温度３０２ｂが６０℃未満）の場合や、図１６中第５行目にあるように温度検知センサ７６ａにより計測された温度が７０℃（消去時温度３０２ａが６０℃以上）でかつ温度検知センサ７６ｂにより計測された温度が９５℃（印刷時温度３０２ｂが６０℃以上）のように両方の温度検知センサが６０℃以上の温度を検知した場合には温度係数３０３は値「５」として計数される。
【０１２１】
カウント値３０４は判定部８ｂにおいて発行係数３０１と温度係数３０３を合計して示される値である。例えば発行係数の値が「１」で温度係数３０３の値が「５」のときは、カウント値３０４は「６」となる。
【０１２２】
累積値３０５は記録部８ｃで記録していた、前回印刷までの累積値３０５と今回行った印刷によるカウント値３０４の合計値であり、累積値３０５は判定部８ｂで計算され記録部８ｃに計算される。この累積値３０５は後述する警告値３０６と比較され、クリーニングすべきかどうかを決定する。警告値３０６は累積値３０５がこの値以上になると、クリーニングの時期がきたと判定し、処理部８が警告を出す（報知する）と定めた基準値であり、その値は「１００」である。
【０１２３】
例えば前回までの印刷によって記録部８ｃに記録されていた累積値３０５が図１６中第３行目にあるように「８」で、新たな印刷動作を行い、今回の印刷のカウント値３０４が「１」であった場合には、前回までの印刷によって記録部８ｃに記録されていた累積値３０５と今回の印刷のカウント値３０４が合計されて、今回の印刷によって累積値３０５の合計は「９」となる（図１６中第４行目参照）。
【０１２４】
また、累積値３０５の値が図１６中第６行目にあるように「９８」の場合には定められた警告値３０６の値である「１００」より低いため、処理部８はこの累積値３０５を記録部８ｃに出力し、記録させるのみである。次に印刷した際に（図１６中第７行目）カウント値が「６」であり、前回印刷までの累積値３０５である「９８」と合計して今回の印刷での累積値３０５の値が「１０４」となる。この、累積値３０５「１０４」は定められた警告値３０６の値である「１００」以上である為、処理部８は上位装置３にクリーニングの時期がきたことの警告を表示するよう出力するとともに記録部８ｃへ累積値を記録する。
【０１２５】
次に、上記カード発行装置１においてカードを発行する工程を説明する。
【０１２６】
初めに使用者が上位装置３の表示部５で自らが行っている作業を確認しつつ、操作部４よりカードの発行の指示を行う。その指示が操作部４より処理部８に出力されると、その指示に従いカード処理装置２内で発行動作が開始される。初めにホッパ７１のカードの排出口より、ホッパ７１に積層されていたカードＣが搬送路７２に排出される。
【０１２７】
ホッパ７１から排出されたカードＣは搬送路７２を通ってカードリーダライタ７３まで送られた後、カードリーダライタ７３で、カードＣが持つＩＣチップに使用者により要求された情報が記録される。
【０１２８】
その後カードＣは搬送路７２によって印刷部７４の印刷用感熱ヘッド７４ｂの下まで搬送される。このとき消去用感熱ヘッド７４ａの下は通過するのみである。その後印刷用感熱ヘッド７４ｂではカードＣとの接触面の温度を上げることによりカードの表面を変色させ、所定の情報の印刷を行う。
【０１２９】
印刷時には印刷用感熱ヘッド７４ｂのカードＣとの接触面の中央部に設けられた温度検知センサ７６ｂが印刷時の印刷用感熱ヘッド７４ｂの温度を検知し、検知した温度を印刷時温度３０２ｂとして係数部８ａに出力する。
【０１３０】
印刷用感熱ヘッド７４ｂで印刷された後、カードＣはカード処理装置２のカード挿入／排出口７５より排出される。その際にカード挿入／排出口７５の側にある、カード通過検知センサ７８により、カードＣの排出が検知されると、その検知結果は発行係数３０１として「１」が係数部８ａへ出力される。
【０１３１】
図１７はカードを発行する際の処理部８による処理を示したフローチャートである。
【０１３２】
発行が開始されると（ＳＴＡＲＴ）、印刷時温度３０２ｂ（例えば４５℃等）及びカード通過検知センサ７８で検知された発行係数３０１の「１」の値は係数部８ａより判定部８ｂに出力される（Ｓ５１）。
【０１３３】
判定部８ｂにおいて係数部８ａから出力された印刷時温度３０２ｂの値が６０℃以上か、又は６０℃未満かによって温度係数３０３の値を「５」又は「０」に判定する（Ｓ５２）。
【０１３４】
係数部８ｂより出力された印刷時温度３０２ｂが６０℃未満であれば「０」（Ｓ５３ａ）を、印刷時温度が６０℃以上であれば「５」（Ｓ５３ｂ）を温度係数３０３として判定部８ｂで求められる。
【０１３５】
温度係数３０３が求められた後に発行係数３０１と求められた温度係数３０３とを合計したカウント値３０４が判定部８ｂにおいて計算される（Ｓ５４）。
【０１３６】
次に、判定部８ｂにおいて計算されたカウント値３０４と、記録部８ｃから出力された前回までのカウント値が判定部８ｂで合計され、今回の印刷での累積値３０５が求められて記録部８ｃで記録される（Ｓ５５）。
【０１３７】
その後今回の印刷での累積値３０５を判定部８ｂにおいて、指定された警告値３０６の値である「１００」以上であるか否かを判定する（Ｓ５６）。
【０１３８】
今回の印刷での累積値３０５が警告値３０６として定められた値である１００以上であれば所定の条件を満たしており、制御部８ｄより上位装置３に指令を出し表示部５に「クリーニングして下さい」との図１０に示す表示３００ａの警告表示を示し（Ｓ５７）、動作を終了する（ＥＮＤ）。
【０１３９】
なおカード処理装置２は警告表示が示された後もクリーニングを行わず続けて印刷は可能である。ただし、クリーニングが行われるまで、記録部８ｃに記録された累積値３０５はリセットされない為、印刷終了後には毎回警告表示が表示部５に表示される。
【０１４０】
今回の印刷での累積値３０５が警告値３０６で定められた値である１００未満であれば、累積値３０５は記録部８ｃに記録され、動作を終了する（ＥＮＤ）。
【０１４１】
またこのカード処理装置２は定期券等として利用していた発行済みのカードの表面を消去し、再び印刷して発行する動作にも対応している。表面の消去及び印刷を伴うカード発行作業を行う場合について説明する。
【０１４２】
初めに使用者が上位装置３において表示部５で自らが行っている作業を確認しつつ、操作部４よりカードの発行の指示を行う。
【０１４３】
リライトの場合は、既にＩＣチップに情報が書き込まれ、既に発行済みのカードＣを表示部５の表示に従い使用者がカード挿入／排出口７５から挿入する。
【０１４４】
挿入されたカードＣはカード発行の際とは逆の方向、つまりホッパ７１に向かって搬送路７２上を、カードリーダライタ７３の下まで搬送される。このときカード挿入／排出口７５の側にあるカード通過検知センサ７８ではカードＣの枚数は検知されない。カードリーダライタ７３においてカードＣに設けられたＩＣチップに既に記録されていた情報が消され、新たな情報（例えば有効期限や乗車区間、その他情報）をカードＣに設けられたＩＣチップに記録させる。
【０１４５】
カードリーダライタ７３でカードＣに設けられたＩＣチップに新たな情報を記録させた後、カードＣは搬送路７２によって印刷部７４の消去用感熱ヘッド７４ａの下まで搬送される。カードＣの表面と消去用感熱ヘッド７４ａの接触面を接触させ、前記接触面の温度を上げることにより、カード表面を変色させ、有効期限や乗車区間等の情報を消去する。
【０１４６】
このとき消去用感熱ヘッド７４ａに設けられている温度検知センサ７６ａはカード表面に記載されていた情報を消去する際の消去用感熱ヘッド７４ａの温度である消去時温度３０２ａを検知する。消去時温度３０２ａは係数部８ａへ出力される。
【０１４７】
消去用感熱ヘッド７４ａで消去された後にカードは印刷部７４の印刷用感熱ヘッド７４ｂの下まで搬送される。その後印刷用感熱ヘッド７４ｂではカードＣとの接触面の温度を上げ、変色させることによりカードの表面に有効期限や乗車区間等の情報の印刷を行う。
【０１４８】
印刷時には温度検知センサ７６ｂはカード表面に情報を印刷する際の印刷用感熱ヘッド７４ｂの温度である印刷時温度３０２ｂを検知し、この印刷時温度３０２ｂは係数部８ａへ出力される。
【０１４９】
印刷用感熱ヘッド７４ｂで印刷された後、カードＣはカード処理装置２のカード挿入／排出口７５より排出されるが、その際にカード処理装置２のカード挿入／排出口７５の側にある、カード通過検知センサ７８より、カードＣの排出を検知すると発行係数３０１の値として「１」が係数部８ａへ出力される。
【０１５０】
図１８は発行済みのカードＣの表面を消去し、再び印刷して発行する際の処理部８による処理を示したフローチャートである。
【０１５１】
発行が開始されると（ＳＴＡＲＴ）、消去時温度３０２ａ及び印刷時温度３０２ｂ（例えば３０℃及び４５℃等）及びカード通過検知センサ７８で検知された発行係数３０１の値である「１」は係数部８ａより判定部８ｂに出力される（Ｓ６１）。
【０１５２】
判定部８ｂにおいて係数部８ａから出力された消去時温度３０２ａ及び印刷時温度３０２ｂの値が６０℃以上か、又は６０℃未満かによって温度係数３０３の値を「５」又は「０」に判定する（Ｓ６２）。
【０１５３】
係数部８ｂより出力された消去時温度３０２ａ及び印刷時温度３０２ｂの両方の値が６０℃未満であれば「０」（Ｓ６３ａ）を、消去時温度３０２ａ又は印刷時温度３０２ｂの少なくとも一方が６０℃以上であれば「５」（Ｓ６３ｂ）を温度係数３０３として判定部８ｂでカウントする。
【０１５４】
温度係数３０３がカウントされた後に判定部８ｂにおいて発行係数３０１とカウントされた温度係数３０３を合計してカウント値３０４を求める（Ｓ６４）。
【０１５５】
次に判定部８ｂにおいて求めたカウント値３０４と、記録部８ｃから出力された前回までのカウント値の合計である累積値３０５を合計して今回の印刷での累積値３０５を求める（Ｓ６５）。
【０１５６】
その後判定部８ｂにおいて今回の印刷での累積値３０５を警告値３０６の値である「１００」以上であるか否かを判定する（Ｓ６６）。
【０１５７】
今回の印刷での累積値３０５が警告値３０６として定められた値である１００以上であれば、制御部８ｄより上位装置３に指令を出し表示部５に図１０に示す「クリーニングして下さい」との表示３００ａの警告表示を示す（Ｓ６７）。同時に累積値３０５は記録部８ｃに記録され、発行動作を終了する（ＥＮＤ）。
【０１５８】
なお、カード処理装置２は警告表示が示された後もクリーニングを行わず続けて印刷は可能である。ただし、クリーニングが行われるまで、記録部８ｃに記録された累積値３０５はリセットされない為、印刷終了後には毎回警告表示が表示部５に表示される。
【０１５９】
今回の印刷での累積値３０５が警告値３０６で定められた値である１００以下であれば、累積値３０５は記録部８ｃに記録され、発行動作を終了する（ＥＮＤ）。
【０１６０】
クリーニング動作に関しては実施例１と同様である。
【０１６１】
上記実施例では、温度係数３０３の判定に用いられる規定の温度（本実施例では６０℃）、温度係数３０３（本実施例では「０」と「５」）、発行係数３０１（本実施例では一回のカードの排出に対して「１」）及び警告値３０６（本実施例では「１００」）は操作部４による外部操作又はデータベースの交換等により任意に変更可能に設定されている。
【０１６２】
また消去時温度３０２ａを判定せず、印刷時温度３０２ｂのみを考慮して判定を行う事等の応用も可能である。
【０１６３】
さらにカード発行装置としては自動券売機にも応用が可能である。なお自動券売機に応用する場合においては、クリーニング時期の警告等は使用者（券を購入するお客等）用表示部ではなく装置の裏にある管理者（駅員等）用表示部に表示することとなる。
【０１６４】
以上詳述したように上記の実施例では、カードの印刷枚数のみでなく感熱ヘッドの温度も考慮することで、よりヘッドの汚れに対応したクリーニングの時期を報知でき、また警告表示を行う所定の条件は個々に変更可能に設定出来るため、そのカード発行装置の使用者の希望に対応してクリーニングの最適な時期を決定することが出来る。
【図面の簡単な説明】
【０１６５】
【図１】本発明の実施例１によるカード発行装置の構成を示したブロック図。
【図２】本発明の実施例１によるカード発行装置の外観図。
【図３】本発明の実施例１による操作部４の外観図。
【図４】本発明の実施例１による発行装置７内部の構成図。
【図５】本発明の実施例１による上位装置処理部６の構成を示したブロック図。
【図６】本発明の実施例１による操作部４に設けられたキーを押下した時に計数される係数の種類及びキーに対しての所定の値を示した図。
【図７】本発明の実施例１による上位装置処理部６でクリーニング時期を判定する際に上位装置処理部６が利用する値とその推移を示した図。
【図８】本発明の実施例１によるカードを発行する際の上位装置処理部６による処理について示したフローチャート。
【図９】本発明の実施例１によるカードをリライトする際の上位装置処理部６による処理について示したフローチャート。
【図１０】本発明の実施例１によるカードを発行する際に新規カード発行キー４６を選択した際の上位装置処理部６による処理について示したフローチャート。
【図１１】本発明の実施例１によるカードを発行する際にＩＣリライトキー４７を選択した際の上位装置処理部６による処理について示したフローチャート。
【図１２】本発明の実施例１による表示部５に表示される警告表示画面４００およびクリーニング途中での表示画面４０１、４０２、４０３を示した図。
【図１３】本発明の実施例１による発行装置７内部にカード通過検知センサ７８を設けた場合の構成図。
【図１４】本発明の実施例２による発行装置７内部の構成図。
【図１５】本発明の実施例２による処理部８の構成を示したブロック図。
【図１６】本発明の実施例２による処理部８でクリーニング時期を判定する際に処理部８が利用する値とその推移を示した図。
【図１７】本発明の実施例２によるカードを発行する際の処理部８による処理について示したフローチャート。
【図１８】本発明の実施例２によるカードをリライトする際の処理部８による処理について示したフローチャート。
【符号の説明】
【０１６６】
１  カード発行装置
２  カード発行処理部
３  上位装置
４  操作部
６  処理部
７  発行装置
６ａ  発行係数
６ｂ  処理係数
６ｃ  カウント値
６ｄ  累積値
６ｅ  警告値
４２  新規カード印刷発行キー
４３  発行済カード印刷発行キー
４４  発行開始キー
４６  新規カード発行キー
４７  ＩＣリライトキー
７４  印刷部
７６ａ、７６ｂ  温度検知センサ
【図１】
2008276753.tif 000003
【図２】
2008276753.tif 000004
【図３】
2008276753.tif 000005
【図４】
2008276753.tif 000006
【図５】
2008276753.tif 000007
【図６】
2008276753.tif 000008
【図７】
2008276753.tif 000009
【図８】
2008276753.tif 000010
【図９】
2008276753.tif 000011
【図１０】
2008276753.tif 000012
【図１１】
2008276753.tif 000013
【図１２】
2008276753.tif 000014
【図１３】
2008276753.tif 000015
【図１４】
2008276753.tif 000016
【図１５】
2008276753.tif 000017
【図１６】
2008276753.tif 000018
【図１７】
2008276753.tif 000019
【図１８】
2008276753.tif 000020